(57)【要約】【課題】  収差補正の最適値を容易かつ効率よく検出することが可能な最適記録パワーをパラメータに用いて収差補正を行なう光記録装置および収差補正方法を得ること。【解決手段】  光ピックアップ手段である光ピックアップ２は、光ピックアップ２内の収差補正手段である液晶パネル４１を用いて収差補正値に基づいて対物レンズ４０の収差を補正して複数段階の記録パワーのレーザビームを光ディスク１に照射して３Ｔおよび１４Ｔのマークを形成した後、再生パワーで形成したマークを再生する。最適記録パワー検出手段であるアシンメトリ検出回路５は、光ピックアップ２が再生した３Ｔおよび１４ＴのＲＦ信号の振幅値を検出してアシンメトリが所定の値となるように振幅中心値を算出して、最適記録パワーを決定する。そして、制御手段であるマイコン６は、球面収差補正を初期値から最適記録パワーが最小の値となるように球面収差補正値を変更する。【選択図】        図３
2005135540.tif 000002
【特許請求の範囲】
【請求項１】
レーザ光を発生するレーザ光源と、前記レーザ光を光記録媒体に照射する光学系と、この光学系および前記光記憶媒体の波面収差を補正する収差補正手段とを有する光ピックアップ手段と、
前記光記録媒体に対する前記レーザ光の最適記録パワー最適記録パワーを検出する検出手段と、
前記検出される最適記録パワーが最小となるように、前記収差補正手段を制御する制御手段と、
を備えることを特徴とする光記録装置。
【請求項２】
前記検出手段は、前記光記録媒体の所定のエリアに異なる記録パワーで記録した試し書きのデータの再生信号に基づいて、前記レーザ光の最適記録パワーを検出することを特徴とする請求項１に記載の光記録装置。
【請求項３】
前記収差補正手段は、前記波面収差を収差補正値に基づいて補正し、前記制御手段は、前記収差補正値を増加させることで前記最適記録パワーが減少する値を前記収差補正値の初期値として、この初期値から所定の第１ステップ幅刻みで前記収差補正値を増加させていくことで前記最適記録パワーが最小となる前記収差補正値を検出することを特徴とする請求項１または２に記載の光記録装置。
【請求項４】
前記制御手段は、前記収差補正値を前記第１ステップ幅で増加させることで前記最適記録パワーが増加した場合には、前記第１ステップ幅より小さな第２ステップ幅刻みで前記収差補正値を減少させていくことで前記最適記録パワーが最小となる前記収差補正値を検出することを特徴とする請求項３に記載の光記録装置。
【請求項５】
前記収差補正手段は、前記波面収差を収差補正値に基づいて補正し、前記制御手段は、前記収差補正値を減少させることで前記最適記録パワーが減少する値を前記収差補正値の初期値として、この初期値から所定の第１ステップ幅刻みで前記収差補正値を減少させていくことで前記最適記録パワーが最小となる前記収差補正値を検出することを特徴とする請求項１または２に記載の光記録装置。
【請求項６】
前記収差補正値を前記第１ステップ幅で減少させることで前記最適記録パワーが増加した場合には、前記第１ステップ幅より小さな第２ステップ幅刻みで前記収差補正値を増加させていくことで前記最適記録パワーが最小となる前記収差補正値を検出することを特徴とする請求項５に記載の光記録装置。
【請求項７】
前記収差補正手段は、前記波面収差を収差補正値に基づいて補正し、前記制御手段は、前記収差補正値を所定の第１ステップ幅増加させる前の最適記録パワーが前記収差補正値を前記第１ステップ幅増加させた後の記録パワーよりも小さい場合、前記収差補正値を前記第１ステップ幅刻みで減少させていくことで前記最適記録パワーが最小となる前記収差補正値を検出し、前記収差補正値を前記第１ステップ幅増加させた後の最適記録パワーが前記収差補正値を前記第１ステップ幅増加させる前の記録パワーよりも小さい場合、前記収差補正値を前記第１ステップ幅刻みで増加させていくことで前記最適記録パワーが最小となる前記収差補正値を検出することを特徴とする請求項１または２に記載の光記録装置。
【請求項８】
前記収差補正値を前記第１ステップ幅で増加させることで前記最適記録パワーが増加した場合には、前記第１ステップ幅より小さな第２ステップ幅刻みで前記収差補正値を減少させていくことで前記最適記録パワーが最小となる前記収差補正値を検出し、前記収差補正値を前記第１ステップ幅で減少させることで前記最適記録パワーが増加した場合には、前記第２ステップ幅刻みで収差補正値を増加させていくことで前記最適記録パワーが最小となる前記収差補正値を検出することを特徴とする請求項７に記載の光記録装置。
【請求項９】
前記制御手段は、前記収差補正値を前記第２ステップ幅で増加または減少することで前記最適記録パワーが増加した場合には、前記収差補正値を前記第２ステップ幅で増加または減少することを停止することを特徴とする請求項４、６または８に記載の光記録装置。
【請求項１０】
前記光ピックアップ手段は、前記光記録媒体からの反射光の反射光量を検出する反射光量検出手段をさらに備え、
前記制御手段は、前記検出した反射光量に基づいて前記最適記録パワーを補正することで前記最適記録パワーが最小となるように前記収差補正手段を制御することを特徴とする請求項１ないし９のいずれか一項に記載の光記録装置。
【請求項１１】
前記検出手段は、前記光記録媒体の複数の記録エリアに対応する複数の所定エリアに異なる記録パワーで記録した試し書きのデータの再生信号に基づいて、前記レーザ光の最適記録パワーを検出する手段をさらに備え、
前記制御手段は、前記各所定エリアにおいて各々検出される各最適記録パワーが最小となるように前記収差補正手段を制御する手段をさらに備えたことを特徴とする請求項１ないし１０のいずれか一項に記載の光記録装置。
【請求項１２】
レーザ光源から発生するレーザ光を光記録媒体に照射するための光学系および前記光記録媒体の波面収差を補正してレーザ光を光記録媒体に照射する光記録装置の収差補正方法において、
前記光記録媒体に対する前記レーザ光の最適記録パワーを検出する検出ステップと、
前記検出ステップによって検出される最適記録パワーが最小となるように、前記波面収差を補正する収差補正ステップと、
を備えることを特徴とする収差補正方法。
【請求項１３】
前記光記録媒体からの反射光の反射光量を検出する反射光量検出ステップをさらに備え、
前記収差補正ステップは、前記反射光量検出ステップによって検出された反射光量に基づいて前記最適記録パワーを補正することで前記最適記録パワーが最小となるように前記波面収差を補正することを特徴とする請求項１２に記載の収差補正方法。
【請求項１４】
前記検出ステップは、前記光記録媒体の複数の記録エリアに対応する複数の所定のエリアに異なる記録パワーで記録した試し書きのデータの再生信号に基づいて、前記レーザ光の最適記録パワーを検出し、
前記収差補正ステップは、前記各所定エリアにおいて、各々検出される各最適記録パワーが最小となるように前記波面収差を補正することを特徴とする請求項１３または１４に記載の収差補正方法。
【発明の詳細な説明】
【技術分野】
【０００１】
この発明は、光記録媒体にレーザビーム（レーザ光）を照射して光記録媒体に情報を記録する光記録装置および収差補正方法に関するものである。
【背景技術】
【０００２】
レーザディスク、コンパクトディスク、ＤＶＤ（Digital Versatile Disk）などの光記録媒体に情報を記録する場合、または光記録媒体から情報を再生する場合に、球面収差、コマ収差、非点収差などの収差が発生する場合がある。球面収差は光記録媒体を保護する透過基板の厚さの製造ばらつき、光学部品のばらつきによって発生し、コマ収差は光記録媒体の反りや、光学部品のばらつきや調整ずれ等によって発生する。また、非点収差は光学部品の精度、組立誤差または光軸のずれや傾き等で発生する。これらの収差によって光記録媒体上のレーザビームの径が大きくなると、光記録媒体に正しい情報を記録することができず、記録された情報を正しく再生することができない。そのため、従来から収差を補正する種々の技術が考えられている。
【０００３】
第１の従来技術では、球面収差が生じているとその球面収差の度合いに応じてトラッキングサーボゲインが減少する点に着目して、トラッキングサーボゲインが大きくなるように、球面収差補正値を推移させるようにしている。すなわち、球面収差が大きいとトラキングエラー信号が小さくなり、球面収差が小さいとトラッキングエラー信号が大きくなることに着目して、球面収差補正値を推移させるようにしている。具体的には、外乱信号（所定の周波数を有する信号）をトラッキングエラー信号に加算したトラッキングサーボ系の制御に用いる外乱重畳信号から外乱信号の帯域成分のみを抽出して、サーボ残留誤差値を得る。そして、サーボ残留誤差値の外乱信号の振幅値に対する比を算出して、この比をトラッキングサーボゲインとする。光記録媒体が１回転すると、現在の球面収差補正値に所定の値を加算して球面収差補正を行ってトラッキングサーボゲインを算出し、算出したトラッキングサーボゲインと一つ前のトラッキングサーボゲインとを比較する。そして、トラッキングサーボゲインが大きい方の球面収差補正値を新たな球面収差補正値に決定するようにしている（たとえば、特許文献１参照）。
【０００４】
また、第２の従来技術では、ディスクチルト１ｄｅｇにおいて液晶のコマ収差補正を動作させた時の未記録状態のランドプリピット（ＬＰＰ）信号、ＲＦ（Radio Frequency）信号、メインプッシュプル（ＭＰＰ）信号のレベル変化を測定し、その測定の結果、最適にコマ収差補正を行うと、前記各信号のレベルが最大値をとり、かつ信号レベルの感度が、ＬＰＰ信号が一番高く、ついでＲＦ信号、ＭＰＰ信号の順に低くなることに着目し、記録済みの光記録媒体及びＲＯＭの光記録媒体ではＲＦ信号を、未記録のＤＶＤ−Ｒ（Digital Versatile Disk Recordable）およびＤＶＤ−ＲＷ（Digital Versatile Disk ReWritable）の光記録媒体ではＬＰＰ信号をモニタして、モニタした信号の信号振幅が最大となるようにコマ収差補正値を決定するようにしている（たとえば、非特許文献１参照）。
【０００５】
【特許文献１】特開２００１−２５０２５６号公報
【非特許文献１】ＰＩＯＮＥＥＲ  Ｒ＆Ｄ  ２００３ Ｖｏｌ．１３                      「１．ＤＶＤ−Ｒ／ＲＷ（Ｒ５）ピックアップ開発」
【発明の開示】
【発明が解決しようとする課題】
【０００６】
しかしながら、トラッキングサーボゲインの変化は少なく、その感度は低い。また、未記録の光記録媒体と記録後の光記録媒体とではトラッキングサーボゲインが異なる。そのため、トラッキングサーボゲインが最大となるように球面収差補正値を決定する上記第１の従来技術では、球面収差を細かい精度で正確に補正することができないという問題が一例として挙げられる。
【０００７】
また、トラッキングサーボゲインは、記録媒体の位置によって微妙に変化するので、その微妙な変化を正確に検知するのは困難である。したがって、トラッキングサーボゲインが最大となるように球面収差補正値を決定する上記第１の従来技術では、トラッキングサーボゲインの微妙な変化による球面収差補正を行うことが出来ないという問題が一例としてあげられる。もちろん、高性能の部品を使用すればトラッキングサーボゲインの微妙な変化を検知することは可能であるが、この場合、コストが高くなってしまう。
【０００８】
さらに、トラッキングエラー信号は、トラッキング方向(ラジアル方向）のみの情報である。したがって、トラッキングエラー信号に基づいて算出するトラッキングサーボゲインを用いて球面収差補正値を決定する上記第1の従来技術では、タンジェンシャル方向に影響を与える収差の補正を行うことができないという問題が一例として挙げられる。
【０００９】
また、第２の従来技術に示されているように、液晶素子によるチルト補正量が「０」に近づくと、ＬＰＰ信号、ＲＦ信号およびＭＰＰ信号の信号変化は小さくなる。すなわち、コマ収差が小さくなってチルト補正量が小さくなると、前記各信号の信号振幅の変化がフラットになってくる。上記第２の従来技術では、信号レベルの感度に着目して、ＬＰＰ信号のあるＤＶＤ−ＲとＤＶＤ−ＲＷでは他の信号に比べてコマ収差の補正量による信号の変化が大きいＬＰＰ信号を、ＬＰＰ信号が存在しない光記録媒体にはＬＰＰ信号のつぎに信号の変化が大きいＲＦ信号を用いるようにしているものの、上記のいずれの信号の場合でも、コマ収差の補正量が小さくなると信号変化が極端に小さくなる。したがって、第２の従来技術で採用されているＬＰＰ信号、ＲＦ信号あるいはＭＰＰ信号では、チルト補正量が小さくなると、信号の変化を正確に検出するのは困難であり、正確なコマ収差補正値を決定することができないという問題が一例としてあげられる。
【００１０】
本発明は、上記に鑑みて成されたものであって、収差補正の最適値を容易かつ効率よく検出することが可能な、光記録媒体に対する最適記録パワーをパラメータに用いて収差補正を行なう光記録装置および収差補正方法を得ることを目的とする。
【課題を解決するための手段】
【００１１】
請求項１に記載の発明は、レーザ光を発生するレーザ光源と、前記レーザ光を光記録媒体に照射する光学系と、この光学系および前記光記憶媒体の波面収差を補正する収差補正手段とを有する光ピックアップ手段と、前記光記録媒体に対する前記レーザ光の最適記録パワーを検出する検出手段と、前記検出される最適記録パワーが最小となるように、前記収差補正手段を制御する制御手段と、を備えることを特徴とする
【００１２】
また、請求項１２に記載の発明は、レーザ光源から発生するレーザ光を光記録媒体に照射するための光学系および前記光記録媒体の波面収差を補正してレーザ光を光記録媒体に照射する光記録装置の収差補正方法において、
前記レーザ光の最適記録パワーを検出する検出ステップと、
前記検出ステップによって検出される最適記録パワーが最小となるように、前記波面収差を補正する収差補正ステップと、
を備えることを特徴とする。
【発明を実施するための最良の形態】
【００１３】
以下に添付図面を参照して、本発明にかかる光記録装置および収差補正方法の好適な実施の形態を詳細に説明する。
【００１４】
［概要および特徴］
図1および図２を用いて、この発明における光記録装置および収差補正方法の概要および特徴を説明する。本発明の光記録装置において補正を行う収差は、球面収差、コマ収差、非点収差である。ここでは、球面収差補正を例に挙げて説明する。
図１は、理想的な球面収差補正量と光記録媒体に対する最適記録パワーの関係を示す理想的グラフである。理想的とは、球面収差が「０」のときに、光記録媒体に照射するレーザビームが最適になっている場合である。記録媒体の透過基板の厚さ（カバー層厚み）が規格値であって、かつ製造時の初期調整によって球面収差が「０」のときにレーザビームの最適パワーが最小となるように調整されているため、図１では、球面収差補正量が「０」の時に最適記録パワーが最小値となり、球面収差補正量が＋側または−側に大きくなっていくに連れて、最適記録パワーが大きくなっている。この場合は球面収差補正量を増加または減少させると球面収差が大きくなり、最適記録パワーが大きくなっていることを示している。すなわち、球面収差が大きくなったことにより光記録媒体に照射されるレーザビームの径が大きくなり、パワー密度が小さくなる。そのため、マークを形成する際により大きなパワーが必要となる。換言すれば、球面収差補正量を変更した際の最適記録パワーが、変更前の球面収差補正量での最適記録パワーよりも小さくなっていれば、光記録媒体に照射するレーザビームの径が小さくなっていて、最適な球面収差補正が行われていることになる。
【００１５】
コマ収差補正および非点収差補正も、光記録媒体に照射するレーザビームの焦点を合わせるための補正である。したがって、コマ収差補正および非点収差補正も、適切な補正を行うことで光記録媒体に照射するレーザビームの径が小さくなり、最適記録パワーが小さくなる。
【００１６】
なお、図１に示したグラフは理想的な球面収差補正量と光記録媒体に対する最適記録パワーの関係を示している。実際には、光記憶媒体の透過基板の製造誤差、基板厚差、球面収差を補正する液晶素子など様々な部品の製造ばらつきにより、たとえば、図２に示すように、球面収差補正量が「＋２」で最適記録パワーが最小となるという場合もある。すなわち、最適記録パワーと球面収差補正量との関係を示すグラフ自体が＋側または−側にオフセットしたり、あるいは±方向への増分が異なる非対称なグラフとなる場合もなる。しかし、図１および図２のどちらの場合でも、球面収差補正量を変更した際の最適記録パワーが、変更前の最適記録パワーよりも小さくなっていれば、光記録媒体に照射するレーザビームの径が小さくなって、最適な球面収差補正が行われていることに変わりはない。
【００１７】
この発明における光記録装置は、収差補正値を変更した場合に、変更前の最適記録パワーよりも変更後の最適記録パワーの方が小さくなれば、レーザビームの径が小さくなって最適な収差補正が行われていると判断することが出来ることに着目し、最適記録パワーを対物レンズの波面収差（球面収差、コマ収差、非点収差）の収差補正値を決定するためのパラメータに用いるようにしている。
【００１８】
最適記録パワーは、レーザビームを用いて光記録媒体に情報を記録する光記録装置においては、必ず検出することが可能なパラメータである。すなわち、最適記録パワーは、ＤＶＤ−Ｒ，ＤＶＤ−ＲＷだけに存在するＬＰＰ信号のように、光記録媒体に依存するものではない。したがって、レーザビームを用いて情報が記録される全ての光記録媒体、たとえば、コンパクトディスク，ＤＶＤ−ＲＡＭ（Digital Versatile Disk Random Access Memory），ＤＶＤ−Ｒ，ＤＶＤ−ＲＷ，ＤＶＤ＋Ｒ，ＤＶＤ＋ＲＷ，ブルーレイシステム，光カード、光テープなどの光記録媒体を用いる光記録装置に本発明は適用可能である。
【００１９】
また、最適記録パワーが最小の値になるように収差補正値を変化させて収差補正値を決定するようにしているため、常に最小の記録パワーでレーザビームを照射することとなる。一般的にレーザの寿命はそのパワーに反比例するため、レーザ装置の寿命を長くすることができるという効果も得ることができる。
【実施例１】
【００２０】
図１〜図４を用いてこの発明における実施例1を説明する。以下の実施例は、光記録媒体（以下光ディスクとする）として情報を記録すべき光ディスク上の位置を示すアドレス情報や、記録再生動作に用いるクロック信号を生成するための基準信号が、ランドプリピットとして形成されているＤＶＤ−Ｒ，ＤＶＤ−ＲＷ等を例に挙げて説明する。
【００２１】
図３は、この発明における実施例１の光記録装置の構成を示すブロック図である。この発明における実施例１の光記録装置は、光ピックアップ２、ＲＦアンプ３、イコライザ４、アシンメトリ検出回路５（特許請求の範囲で言うところの検出手段）、マイクロコンピュータ（マイコン）６（特許請求の範囲で言うところの制御手段）、ＯＰＣ（Optimum Power Control：最適パワー制御）回路７、レーザドライブ回路８、トラッキングサーボ回路９、アクチュエータドライブ回路１０、ＬＰＰ検出回路１１、ゲート生成回路１２、ＬＰＰ振幅検出回路１３、２値化回路１４、ＮＲＺＩ（Non Return to Zero Invert）変換回路１５および同期検出回路１６を備えている。
【００２２】
光ピックアップ２は、レーザ光源としての半導体レーザ（図示せず）、光学系としての対物レンズ４０、収差補正手段としての液晶パネル４１、光ディスク１からの反射光の反射光量（反射強度）を検出する光検出器（図示せず）（特許請求の範囲でいうところの反射光量検出手段）などを有し、ライトストラテジ信号または再生パワーに応じたレーザビームを光源から発生し、発生したレーザビームを液晶パネル４１、対物レンズ４０など介して光ディスク１に照射する。液晶パネル４１は、液晶ドライブ回路１７によって駆動され、液晶ドライブ回路１７による電圧制御によってパネル内に所要の屈折率分布を作成することで、球面収差、コマ収差、非点収差などの収差を補正する。また、光ピックアップ２は、光ディスク１からの反射光を検出する光検出器の検出出力に基づいてメインプッシュプル（ＭＰＰ）信号、トラッキングエラー信号およびＲＦ信号を生成する。ＭＰＰ信号はＬＰＰ検出回路１１およびマイコン６に、トラッキングエラー信号はトラッキングサーボ回路９に、ＲＦ信号はＲＦアンプ３にそれぞれ出力される。
【００２３】
ＬＰＰ検出回路１１は、光ピックアップ２から入力されるＭＰＰ信号からランドプリピット信号（ＬＰＰ信号）を検出する。光ディスク１には、記録情報が記録されるべき情報トラックとしてのグルーブと、グルーブにレーザビームを誘導するためのガイドトラックとしてのランドとが形成されている。ランドには、グルーブを挟んで対向することがないようにＬＰＰが形成されている。また、光ディスク１は、グルーブを光ディスク１の回転速度の基準となる周波数でウォーブリングさせている。ＭＰＰ信号は、このウォーブリングの周波数成分とＬＰＰの周波数成分とを含んでいる。ＬＰＰ検出回路１１は、ＭＰＰ信号からＬＰＰの信号成分を検出する。
【００２４】
ゲート生成回路１２は、ＬＰＰ検出回路１１によって検出されたＬＰＰの信号をゲーティングして、ＬＰＰ信号のみをＬＰＰ振幅検出回路１３に出力する。ＬＰＰ振幅検出回路１３は、ＬＰＰ信号の振幅を検出して、検出したＬＰＰ信号の振幅値をマイコン６に出力する。
【００２５】
ＲＦアンプ３は、光ピックアップ２から入力されるＲＦ信号を増幅して、増幅ＲＦ信号を２値化回路１４とイコライザ４とに出力する。
【００２６】
２値化回路１４は、最適記録パワーの振幅中心値をスライスレベルとして増幅ＲＦ信号を２値化して、２値化した値をＮＲＺＩ変換回路１５に出力する。ＮＲＺＩ変換回路１５は、２値化された値をＮＲＺＩ信号に変換して、変換したＮＲＺＩ信号を同期検出回路１６に出力する。同期検出回路１６は、ＮＲＺＩ信号の中から同期パターン（この場合は、１４Ｔのマーク）を検出して、同期パターンを検出したことをマイコン６に通知する。
【００２７】
マイコン６は、光ディスク１に記録する場合、記録情報を８／１６変調して、ＮＲＺＩ信号を生成して、生成したＮＲＺＩ信号をレーザドライブ回路８に出力する。光ディスク１に記録された情報を再生する場合、再生パワーを出力するようにレーザドライブ回路８を制御する。マイコン６は、光ピックアップ２から入力されるＭＰＰ信号からウォーブリング信号を検出して、検出したウォーブリング信号と、ＬＰＰ振幅検出回路１３によって検出されたＬＰＰ信号と、同期検出回路１６によって検出された同期パターンとに基づいて、予めプリ情報を取得し、このプリ情報から情報を記録または再生すべき光ディスク１の位置であるアドレス情報などを取得する。取得されたアドレス情報はトラッキングサーボ回路９に出力される。
【００２８】
マイコン６は、光記録装置に光ディスク１が装着され記録開始モードに入ると、ＯＰＣ命令をＯＰＣ回路７に出力するとともに、光ピックアップ２を光ディスク１の試し書きのためのエリアであるパワーキャリプレーションエリア（ＯＰＣエリア）に移動する命令をキャリッジサーボ回路（図示せず）に出力し、ＯＰＣを実行する。また、アシンメトリ検出回路５から入力される最適記録パワーに基づいて球面収差補正値を決定し、決定した球面収差補正値を液晶ドライブ回路１７に出力する。マイコン６は、光記録装置の各構成要素を統括的に制御する。
【００２９】
トラッキングサーボ回路９は、光ピックアップ２から出力されるトラッキングエラー信号の直流成分と高周波成分を抽出する。そして、トラッキングエラー信号の直流成分をキャリッジサーボ回路に供給し、スライドモータ（図示せず）を駆動する。また、トラッキングエラー信号の高周波成分をアクチュエータドライブ回路１０に出力する。トラッキングサーボ回路９は、マイコン６からのアドレス情報に基づいて、キャリッジサーボ回路やアクチュエータドライブ回路１０を駆動する。これにより、光ピックアップ２は、光ディスク１上を移動し、記録または再生すべき先頭位置からレーザビームを照射することができる。
【００３０】
アクチュエータドライブ回路１０は、トラッキングサーボ回路９によって駆動され、光ピックアップ２から出力されるレーザビームが光ディスク１のトラック上をトレースするように制御する。
【００３１】
ＯＰＣ回路７は、ＯＰＣ命令が入力されると、３Ｔおよび１４Ｔ（Ｔは記録情報を記録する際の記録フォーマットにより規定されるビット間隔に対応する単位長さである１チャネルクロックの周期）に対応するＮＲＺＩ信号と、そのＮＲＺＩ信号の記録パワーとをレーザドライブ回路８に出力する。ＯＰＣ回路７は、所定の回数連続して３Ｔおよび１４Ｔに対応するＮＲＺＩ信号を出力した後、記録パワーを変更する。すなわち、ＯＰＣ回路７は、複数段階の記録パワーを用いて、それぞれの記録パワーで所定の回数連続して光記録媒体に記録する最小マーク長の３Ｔおよび最長マーク長の１４Ｔのマークを光ディスク１に形成するようなＮＲＺＩ信号をレーザドライブ回路８に出力する。また、ＯＰＣ回路７は、３Ｔおよび１４Ｔのマークを形成するＮＲＺＩ信号を出力した後、マークを読み出す信号をレーザドライブ回路８に出力する。なお、ＯＰＣ回路７が出力するマークは、３Ｔおよび１４Ｔに限るものではなく、少なくとも２つ以上の異なる長さのマークであればよい。
【００３２】
レーザドライブ回路８は、光ディスク１への記録時には、入力されたＮＲＺＩ信号から指定された記録パワーを有するライトストラテジ信号を生成し、生成したライトストラテジ信号を光ピックアップ２に出力する。また、光ディスク１に記録されている情報の再生時には、再生パワーを光ピックアップ２に出力する。
【００３３】
イコライザ４は、ＲＦアンプ３から入力される増幅ＲＦ信号の高域のゲインを高くする。ＲＦアンプ３から入力される増幅ＲＦ信号は、光ピックアップ２の周波数特性によって高域の振幅が小さくなっている。イコライザ４は、増幅ＲＦ信号の高域のゲインを高くすることで、光ピックアップ２の周波数特性による高域の振幅を補正して、補正した増幅ＲＦ信号をアシンメトリ検出回路５に出力する。
【００３４】
アシンメトリ検出回路５は、３Ｔおよび１４Ｔの連続記録結果の振幅を測定して、アシンメトリが所定の値となるようにそれぞれの振幅中心値を算出する。一般的に、記録用の光ピックアップが照射するレーザビームの径は、標準再生機の光ピックアップが照射するレーザビームの径よりも大きい。また、レーザビームの径は、光ディスクの種類、記録用の光ピックアップの再生ＭＴＦ(Modulation Transfer Function)などにより微妙に異なる。そのため、標準再生機で再生した時のアシンメトリが０〜５％になるように最適記録パワーを決定することが望ましい。したがって、アシンメトリ検出回路５が３Ｔおよび１４Ｔの連続記録結果の振幅中心値を算出する際のアシンメトリは、−５〜１５％の範囲のいずれかの値に設定する。なお、標準再生機と同様の特性を得るために、標準再生機と同様の再生専用光ピックアップを備え、光ピックアップ２を用いて記録して、再生専用光ピックアップを用いて３Ｔおよび１４Ｔを再生するようにしてもよい。また、イコライザ４に、標準再生機の光ピックアップを用いて再生したＲＦ信号と同等の特性にするような補正機能を持たせるようにしてもよい。
【００３５】
アシンメトリ検出回路５は、３Ｔおよび１４Ｔのアシンメトリが所定の値で、かつ２つの振幅中心値が等しくなる最適記録パワーを検出する。そして、検出した最適記録パワーをマイコン６に出力するとともに、検出した最適記録パワーの振幅中心値をスライスレベルとして２値化回路１４に出力する。
【００３６】
液晶ドライブ回路１７は、マイコン６からの球面収差補正値に基づいて、光ピックアップ２内の液晶パネルに印加する電圧を生成して、光ピックアップ２に出力する。
【００３７】
つぎに、図４のフローチャートを参照して、この発明における実施例１の光記録装置の球面収差補正動作を説明する。
【００３８】
光記録装置に光ディスク１が装着されると、マイコン６は、球面収差補正値を初期値に設定し（ステップＳ１００）、この初期値を液晶ドライブ回路１７に出力する。球面収差補正値の初期値は、図１または図２に示したグラフにおいて、負の傾きを持つ範囲の値、すなわち初期値に第１ステップ幅として所定の値α１（０＜α１）を加算した結果を球面収差補正値としたとき、その最適記録パワーが初期値に対応する最適記録パワーよりも小さくなる値とする。液晶ドライブ回路１７は、マイコン６からの球面収差補正値（初期値）に基づいて、光ピックアップ２内の液晶パネルに印加する電圧を生成して、生成した電圧を光ピックアップ２に出力する。
【００３９】
マイコン６は、ＯＰＣ処理を実行させる（ステップＳ１１０）。具体的には、マイコン６は、ＯＰＣ処理を開始するＯＰＣ命令をＯＰＣ回路７に出力するとともに、アドレス情報をトラッキングサーボ回路９に出力する。トラッキングサーボ回路９は、マイコン６からのアドレス情報に基づいて、キャリッジサーボ回路やアクチュエータドライブ回路１０を駆動する。これにより、光ピックアップ２が、光ディスク１上の試し書きのためのエリアであるＯＰＣエリアまで移動する。ＯＰＣ回路７は、複数段階の記録パワーを用いて、それぞれの記録パワーで所定の回数連続して３Ｔおよび１４Ｔのマークを光ディスク１に形成するＮＲＺＩ信号をレーザドライブ回路８に出力する。レーザドライブ回路８は、入力されたＮＲＺＩ信号から指定された記録パワーを有するライトストラテジ信号を生成して、生成したライトストラテジ信号を光ピックアップ２に出力する。光ピックアップ２は、ライトストラテジ信号に基づいたレーザビームを光ディスク１のＯＰＣエリアに出力する。これにより、光ディスク１のＯＰＣエリアに、複数の異なる記録パワーによって３Ｔおよび１４Ｔのマークが形成される。
【００４０】
異なる記録パワーによる３Ｔおよび１４Ｔのマークの形成が終了すると、ＯＰＣ回路７の指定により、レーザドライブ回路８は、記録した３Ｔおよび１４Ｔのマークを読み出すための再生パワーを光ピックアップ２に出力する。光ピックアップ２は、再生パワーのレーザビームを光ディスク１に照射して、そのレーザビームの反射光からＲＦ信号を生成する。アシンメトリ検出回路５は、ＲＦアンプ３によって増幅され、イコライザ４によって高域の振幅を補正された３Ｔおよび１４ＴのＲＦ信号の振幅を検出する。そして、３Ｔおよび１４Ｔの所定の値のアシンメトリで、かつ２つの振幅中心値が等しくなる記録パワーを検出して、検出した記録パワーを最適記録パワーとしてマイコン６に出力する。
【００４１】
マイコン６は、ＯＰＣ処理によって得られた最適記録パワーをマイコン６内のメモリＸに記憶する（ステップＳ１２０）。つぎに、マイコン６は、所定の値α１を現在の球面収差補正値に加算して球面収差補正値を変更する（ステップＳ１３０）。すなわち、球面収差補正値は、マイコン６内のメモリＸに記憶されている最適記録パワーを取得した時の球面収差補正値＋α１となる。
【００４２】
マイコン６は、ＯＰＣ処理を実行させて、球面収差補正値が初期値＋α１の時の最適記録パワーを取得する（ステップＳ１４０）。ＯＰＣ処理については、ステップＳ１１０と同様となるのでその動作については省略する。
【００４３】
マイコン６は、取得した最適記録パワーとマイコン６内のメモリＸに記憶されている最適記録パワーとを比較する。取得した最適記録パワーがマイコン６内のメモリＸに記憶されている最適記録パワーより小さい場合（ステップＳ１５０，Ｙｅｓ）、マイコン６は、取得した最適記録パワーをマイコン６内のメモリＸに記憶し、所定の値α１を現在の球面収差補正値に加算して球面収差補正値を変更した後ＯＰＣ処理を実行させて、ＯＰＣ処理によって取得した最適記録パワーとマイコン６内のメモリＸに記憶されている最適記録パワーとを比較する動作を、取得した最適記録パワーがマイコン６内のメモリＸに記憶した最適記録パワー以上になるまで繰り返す（ステップＳ１２０〜Ｓ１５０）。すなわち、マイコン６は、球面収差補正値を所定の値α１刻みで増加させ、その都度ＯＰＣ処理によって最適記録パワーを取得することによって、所定の値α１刻みでの最適記録パワーの最小値を検出する。
【００４４】
取得した最適記録パワーがマイコン６内のメモリＸに記憶されている最適記録パワー以上になった場合（ステップＳ１５０，Ｎｏ）、マイコン６は、取得した最適記憶パワーをマイコン６内のメモリＸに記憶する（ステップＳ１６０）。そして、値α１よりも小さい第２ステップ幅である所定の値α２（０＜α２＜α１）を現在の球面収差補正値から減算して球面収差補正値を変更する（ステップＳ１７０）。すなわち、球面収差補正値を、マイコン６内のメモリＸに記憶されている最適記録パワーを取得した時の球面収差補正値−α２に変更する。
【００４５】
マイコン６は、変更した球面収差補正値でＯＰＣ処理を実行させて最適記録パワーを取得する（ステップＳ１８０）。マイコン６は、取得した最適記録パワーとマイコン６内のメモリＸに記憶されている最適記録パワーとを比較する。取得した最適記録パワーがマイコン６内のメモリＸに記憶されている最適記録パワーよりも小さい場合（ステップＳ１９０，Ｎｏ）、マイコン６は、取得した最適記録パワーをマイコン６内のメモリＸに記憶し、所定の値α２を現在の球面収差補正値から減算して球面収差補正値を変更した後ＯＰＣ処理を実行させて、ＯＰＣ処理によって取得した最適記録パワーとマイコン６内のメモリＸに記憶した最適記録パワーとを比較する動作を、取得した最適記録パワーがマイコン６内のメモリＸに記憶した最適記録パワー以上になるまで繰り返す（ステップＳ１６０〜Ｓ１９０）。すなわち、マイコン６は、球面収差補正値を値α１よりも小さい所定の値α２刻みで減算して最適記録パワーの最小値を検出する。
【００４６】
取得した最適記録パワーがマイコン６内のメモリＸに記憶されている最適記録パワー以上になった場合（ステップＳ１９０，Ｙｅｓ）、マイコン６は、所定の値α２を現在の球面収差補正値に加算して球面収差補正値を変更する（ステップＳ２００）。以上のような処理によって、球面収差補正量を図１または図２に破線で示す軌跡Ｋに沿って変化させることにより、球面収差補正量を最小の最適記録パワーに対応する球面収差補正値に収束させる。
【００４７】
このようにこの実施例１では、光ピックアップ手段である光ピックアップ２は、光ピックアップ２内の収差補正手段である液晶パネル４１を用いて収差補正値に基づいて対物レンズ４０および光ディスク１の収差を補正して複数段階の記録パワーのレーザビームを光ディスク１に照射して３Ｔおよび１４Ｔのマークを形成した後、再生パワーで形成したマークを再生する。検出手段であるアシンメトリ検出回路５は、光ピックアップ２が再生した３Ｔおよび１４ＴのＲＦ信号の振幅値を検出してアシンメトリが所定の値となるように振幅中心値を算出して、最適記録パワーを決定する。そして、制御手段であるマイコン６は、球面収差補正を初期値から最適記録パワーが最小の値となるように球面収差補正値を変更するようにしている。記録パワーは細かく設定することが可能であり、この記録パワーをパラメータとして球面収差補正値を決定するようにしているため、トラッキングサーボゲイン、ＬＰＰ信号、ＲＦ信号およびＭＰＰ信号などの最大値を求めるよりも正確に球面収差補正を行なうことができる。
【００４８】
また、最適記録パワーの最小値を球面収差補正のパラメータとして用いるようにしているため、光ディスク１に照射するレーザビームのラジアル方向およびタンジェンシャル方向の球面収差を補正することができる。なお、上記の説明では、球面収差補正値の初期値を、図１または図２に示したグラフにおいて、負の傾きを持つ範囲の値に設定するようにしているが、正の傾きを持つ範囲に球面収差補正値の初期値を設定するようにしてもよい。この場合、球面収差補正量を図１または図２に一点鎖線で示す軌跡Ｌ（最初、球面収差補正値から値α１を減算し、その後値α２を加算する）に沿って変化させる。
【００４９】
さらに、マイコン６は、通常ファームウエアによって動作する。ＯＰＣ処理は光記録装置が必ず実行する処理であり、すでにファームウエアに組み込まれているのが一般的である。そのため、ファームウエアの変更だけで球面収差補正を行うことができる。
【実施例２】
【００５０】
実施例２では、初期値を設定することなく、記憶している現在の球面収差補正値からＯＰＣ処理を実行させて最適記録パワーを検出して、球面収差補正を行なうものである。すなわち、現在の球面収差補正量が、図１または図２に示したグラフ上における負の傾きを持つ範囲に入っているかあるいは正の傾きを持つ範囲に入っているかを最初に識別し、この識別結果に基づいて、所定の値α１を減算するのかあるいは加算するのかを決定する。
【００５１】
この発明における実施例２の光記録装置の構成は、図３に示した実施例１の光記録装置と同様のものとなるので、その説明は省略する。
【００５２】
図５のフローチャートを参照して、この発明における実施例２の光記録装置の球面収差補正動作を説明する。なお、ＯＰＣ処理については、実施例１のステップＳ１００と同様となるのでその動作の説明は省略する。
【００５３】
光記録装置に光ディスク１が装着されると、マイコン６は、ＯＰＣ処理を実行させる（図５のステップＳ３００）。マイコン６は、ＯＰＣ処理によって得られた最適記録パワーをマイコン６内のメモリＸに記憶する（図５のステップＳ３１０）。マイコン６は、所定の値α１（０＜α１）を記憶している現在の球面収差補正値に加算して球面収差補正値を変更する（図４−１のステップＳ３２０）。
【００５４】
マイコン６は、変更した球面収差補正値でＯＰＣ処理を実行させて最適記録パワーを取得する（図５のステップＳ３３０）。マイコン６は、取得した最適記録パワーとマイコン６内のメモリＸに記憶されている最適記録パワーとを比較する。取得した最適記録パワーがマイコン６内のメモリＸに記憶されている最適記録パワー以上の場合（図５のステップＳ３４０，Ｎｏ）、所定の値α１を球面収差補正値から減算して球面収差補正値を変更する（図５のステップＳ３５０）。なお、最初に限って、マイコン６内のメモリＸに記憶されている最適記録パワーを取得した時の球面収差補正値から所定の値α１を減算した球面収差補正値にするために、２α１を減算する。
【００５５】
マイコン６は、変更した球面収差補正値でＯＰＣ処理を実行させて最適記録パワーを取得する（図５のステップＳ３６０）。マイコン６は、取得した最適記録パワーとマイコン６内のメモリＸに記憶されている最適記録パワーとを比較する。取得した最適記録パワーがマイコン６内のメモリＸに記憶されている最適記録パワーより小さい場合（図５のステップＳ３７０，Ｙｅｓ）、マイコン６は、取得した最適記録パワーをマイコン６内のメモリＸに記憶し、所定の値α１を現在の球面収差補正値から減算して球面収差補正値を変更した後ＯＰＣ処理を実行し、ＯＰＣ処理によって取得した最適記録パワーを比較する動作を、取得した最適記録パワーがマイコン６内のメモリＸに記憶した最適記録パワー以上になるまで繰り返す（図５のステップＳ３５０〜Ｓ３８０）。すなわち、マイコン６は、球面収差補正値を所定の値α１刻みで減少させ、その都度最適記録パワーを取得することによって、所定の値α１刻みでの最適記録パワーの最小値を検出する。
【００５６】
取得した最適記録パワーがマイコン６内のメモリＸに記憶されている最適記録パワー以上になった場合（図５のステップＳ３７０，Ｎｏ）、マイコン６は、取得した最適記憶パワーをマイコン６内のメモリＸに記憶する（図５のステップＳ３９０）。そして、値α１よりも小さい所定の値α２（０＜α２＜α１）を現在の球面収差補正値に加算して球面収差補正値を変更する（図５のステップＳ４００）。すなわち、球面収差補正値を、マイコン６内のメモリＸに記憶されている最適記録パワーを取得した時の球面収差補正値＋α２に変更する。
【００５７】
マイコン６は、変更した球面収差補正値でＯＰＣ処理を実行させて最適記録パワーを取得する（図５のステップＳ４１０）。マイコン６は、取得した最適記録パワーとマイコン６内のメモリＸに記憶されている最適記録パワーとを比較する。取得した最適記録パワーがマイコン６内のメモリＸに記憶されている最適記録パワーよりも小さい場合（図５のステップＳ４２０，Ｎｏ）、マイコン６は、取得した最適記録パワーをマイコン６内のメモリＸに記憶し、所定の値α２を現在の球面収差補正値に加算して球面収差補正値を変更した後ＯＰＣ処理を実行させて取得した最適記録パワーとマイコン６内のメモリＸに記憶した最適記憶パワーとを比較する動作を、取得した最適記録パワーがマイコン６内のメモリＸに記憶した最適記録パワー以上になるまで繰り返す（図５のステップＳ３９０〜Ｓ４２０）。すなわち、マイコン６は、球面収差補正値を所定の値α２刻みで加算して最適記録パワーの最小値を検出する。
【００５８】
取得した最適記録パワーがマイコン６内のメモリＸに記憶されている最適記録パワー以上になった場合（図５のステップＳ４２０，Ｙｅｓ）、マイコン６は、所定の値α２を現在の球面収差補正値から減算して球面収差補正値を変更する（図５のステップＳ４３０）。以上のような処理によって、球面収差補正量を図１または図２に一点鎖線で示す軌跡Ｌに沿って変化させることにより、球面収差補正量を最小の最適記録パワーに対応する球面収差補正値に収束させる。
【００５９】
一方、最初にＯＰＣ処理を実行させた時の球面収差補正値に所定の値α１を加算した球面収差補正値でＯＰＣ処理を実行させて取得した最適記録パワーがマイコン６内のメモリＸに記憶されている最適記録パワーより小さい場合（図５のステップＳ３４０，Ｙｅｓ）、マイコン６は、取得した最適記録パワーをマイコン６内のメモリＸに記憶する（図６のステップＳ４４０）。マイコン６は、所定の値α１を現在の球面収差補正値に加算して球面収差補正値を変更する（図６のステップＳ４５０）。
【００６０】
マイコン６は、変更した球面収差補正値でＯＰＣ処理を実行させて最適記録パワーを取得する（図６のステップＳ４６０）。マイコン６は、取得した最適記録パワーとマイコン６内のメモリＸに記憶されている最適記録パワーとを比較する。取得した最適記録パワーがマイコン６内のメモリＸに記憶されている最適記録パワーより小さい場合（図６のステップＳ４７０，Ｙｅｓ）、マイコン６は、取得した最適記録パワーをマイコン６内のメモリＸに記憶し、所定の値α１を現在の球面収差補正値に加算して球面収差補正値を変更した後ＯＰＣ処理を実行させて、ＯＰＣ処理によって取得した最適記録パワーとマイコン６内のメモリＸに記憶されている最適記録パワーとを比較する動作を、取得した最適記録パワーがマイコン６内のメモリＸに記憶した最適記録パワー以上になるまで繰り返す（図６のステップＳ４４０〜Ｓ４７０）。すなわち、マイコン６は、球面収差補正値を所定の値α１刻みで加算し、その都度最適記録パワーを取得することによって、所定の値α１刻みでの最適記録パワーの最小値を検出する。
【００６１】
取得した最適記録パワーがマイコン６内のメモリＸに記憶されている最適記録パワー以上になった場合（図６のステップＳ４７０，Ｎｏ）、マイコン６は、取得した最適記憶パワーをマイコン６内のメモリＸに記憶する（図６のステップＳ４８０）。そして、所定の値α２を現在の球面収差補正値から減算して球面収差補正値を変更する（図６のステップＳ４９０）。すなわち、球面収差補正値を、マイコン６内のメモリＸに記憶されている最適記録パワーを取得した時の球面収差補正値−α２に変更する。
【００６２】
マイコン６は、変更した球面収差補正値でＯＰＣ処理を実行させて最適記録パワーを取得する（図６のステップＳ５００）。マイコン６は、取得した最適記録パワーとマイコン６内のメモリＸに記憶されている最適記録パワーとを比較する。取得した最適記録パワーがマイコン６内のメモリＸに記憶されている最適記録パワーよりも小さい場合（図６のステップＳ５１０，Ｎｏ）、マイコン６は、取得した最適記録パワーをマイコン６内のメモリＸに記憶し、所定の値α２を現在の球面収差補正値から減算して球面収差補正値を変更した後ＯＰＣ処理を実行させて、ＯＰＣ処理によって取得した最適記録パワーとマイコン６内のメモリＸに記憶されている最適記録パワーとを比較する動作を、取得した最適記録パワーがマイコン６内のメモリＸに記憶されている最適記録パワー以上になるまで繰り返す（図６のステップＳ４８０〜Ｓ５１０）。すなわち、マイコン６は、球面収差補正値を所定の値α２刻みで減算して最適記録パワーの最小値を検出する。
【００６３】
取得した最適記録パワーがマイコン６内のメモリＸに記憶されている最適記録パワー以上になった場合（図５のステップＳ５１０，Ｙｅｓ）、マイコン６は、所定の値α２を現在の球面収差補正値に加算して球面収差補正値を変更する（図５のステップＳ５２０）。以上のような処理によって、球面収差補正量を図１または図２に破線で示す軌跡Ｋに沿って変化させることにより、球面収差補正量を最小の最適記録パワーに対応する球面収差補正値に収束させる。
【００６４】
このようにこの実施例２では、現在の球面収差補正量が、図１または図２に示したグラフ上における負の傾きを持つ範囲に入っているかあるいは正の傾きを持つ範囲に入っているかを最初に識別し、この識別結果に基づいて、所定の値α１を減算するのかあるいは加算するのかを決定するようにしており、これにより実施例２では球面収差補正値の初期値を設定する必要がなくなる。また、記憶している現在の球面収差補正値から最適記録パワーが最小となるように球面収差補正を実行しているので、現在の球面収差補正値が最適記録パワーが最小となる球面収差補正値の近傍にある場合、実施例１に比べ、処理時間の短い球面収差補正を行うことができ、またＯＰＣエリアとして使用するエリアも減少する。
【００６５】
また、細かく設定することが可能な記録パワーをパラメータとして球面収差補正値を決定するようにしているため、トラッキングサーボゲイン、ＬＰＰ信号、ＲＦ信号およびＭＰＰ信号などの最大値を求めるよりも正確に球面収差補正を行なうことができる。
【００６６】
なお、この実施例１では、アシンメトリ検出回路５が最適記録パワーを検出して、検出した最適記録パワーをマイコン６に出力するようにしたが、アシンメトリ検出回路５は、所定の値のアシンメトリでの振幅中心値のみを算出してマイコン６に出力し、マイコン６が最適記録パワーを検出するようにしてもよい。
【実施例３】
【００６７】
この実施例３では、実施例１および２の変形例を説明する。実施例１および実施例２では、３Ｔおよび１４Ｔのマーク形成時のアシンメトリから最適記録パワーを決定するようにした。しかし、最適記録パワーは、３Ｔおよび１４Ｔのマーク形成時のアシンメトリに限るものでなく、たとえば、再生ＲＦ信号の振幅の最大値となる記録パワー、再生ＲＦ信号のジッタ値が最小となる記録パワー、またはエラーレートが最小となる記録パワーを最適記録パワーとしてもよい。
【００６８】
また、実施例１、実施例２では、光記録装置に光ディスク１が装着されるとＯＰＣエリアで球面収差補正値を変化させてＯＰＣ処理を行い、最適記録パワーが最小となるように球面収差補正値を決定した。しかし、光ディスク１には、たとえば、ＤＶＤ−Ｒの場合プリライト部、ＣＤの場合のＡＴＩＰ情報など、光ディスクのさまざまな情報（以下、ディスク情報とする）が記録されているものがある。光ディスク１のディスク情報に、記録時の最適記録パワー情報が含まれている場合は、記憶している現在の球面収差補正値でＯＰＣ処理を実行させて最適記録パワーを取得し、取得した最適記録パワーがディスク情報内の最適記録パワー情報より大きい場合のみ、図４または図５のフローチャートに示した球面収差補正処理を行うようにしてもよい。
【００６９】
具体的には、マイコン６は、光記録装置に光ディスク１が装着されると、光ディスク１のディスク情報を読み出して、ディスク情報内に最適記録パワー情報が含まれているか否かを判断する。最適記録パワー情報が含まれている場合、マイコン６は、現在の球面収差補正値でＯＰＣ処理を実行させて最適記録パワーを取得する。マイコン６は、取得した最適記録パワーと最適記録パワー情報とを比較する。比較の結果、取得した最適記録パワーが最適記録パワー以下の場合には、マイコン６は、すでに最適な球面収差補正がなされていると判断して、取得した最適記録パワーによる記録動作を開始する。比較の結果、取得した最適記録パワーが最適記録パワー情報より大きい場合には、マイコン６は、球面収差補正が必要であると判断して、図４または図５のフローチャートに示した球面収差補正処理を行う。
【００７０】
このように光ディスク１に予め記録されている最適記録パワー情報を用いることにより、ＯＰＣエリアを無駄に使うことなく球面収差補正を行うことができる。
【実施例４】
【００７１】
光ディスクに情報記録する記録動作時に、ＯＰＣ処理によって得られた最適記録パワーの反射強度と、記録動作時のマーク形成時の反射強度とを比較し、この比較の結果に基づいて、ＯＰＣ処理によって得られた最適記録パワーを補正しながら光ディスクに情報を記録するランニングＯＰＣという技術がある。この実施例４では、このランニングＯＰＣによって補正された記録パワーの変化を利用して、光ディスクの透過基板の厚さの誤差によって発生する球面収差を補正するものである。
【００７２】
図７〜図８を用いて実施例４を説明する。図７は、この発明における実施例４の光記録装置の構成を示すブロック図である。この発明における実施例４の光記録装置は、図３に示した光記録装置のマイコン６の代わりに、マイコン６ａを備えている。
【００７３】
光ピックアップ２は、実施例１で説明したように、光ディスク１からの反射光の反射強度を検出する光検出器を備えている。図８に示すように、記録パワーに切替えた時点Ｐ１では、光ディスクにはまだマークが形成されていないので、時点Ｐ１における反射強度は高いレベルとなる。その後、マークの形成が始まると反射率が変化して反射強度は低下し、その後反射強度はマーク形成終了時まで安定したレベルとなる。光ピックアップ２は、記録パワーに切替えてから反射光強度が安定する所定の時間ｔが経過した時点Ｐ２での反射強度を検出し、検出した反射強度をマイコン６ａに出力する。
【００７４】
マイコン６ａは、図３に示したマイコン６の機能に加えて、ランニングＯＰＣの機能を備えている。マイコン６ａは、ＯＰＣ処理によって得られた最適記録パワー時の反射強度を記憶しておき、記録動作時には、最適記録パワー時の反射強度と記録動作時の反射強度とを比較して、記録動作時の反射強度が、最適記録パワー時の反射強度と等しくなるように記録パワーを制御する。すなわち、記録時の反射強度が最適記録パワー時の反射強度よりも小さい場合には記録パワーを大きく、記録時の反射強度が最適記録パワー時の反射強度よりも大きい場合には記録パワーを小さくして、最適記録パワーの反射強度と記録時の反射強度とが等しくなるように制御する。なお、比較は、随時行なってもよいし、所定の時間毎、所定のトラック毎または同期パターンである１４Ｔのマーク形成時に行なうようにしてもよい。
【００７５】
つぎに、図９〜図１１のフローチャートを参照して、この発明における実施例４の光記録装置の球面収差補正動作を説明する。マイコン６ａは、ＯＰＣ処理を実行させて最適記録パワーと、そのときの反射強度とを取得する（図９のステップＳ６００）。
【００７６】
マイコン６ａは、取得した最適記録パワーをマイコン６ａ内のメモリＸに、最適記録パワー時の反射強度をマイコン６ａ内のメモリＹにそれぞれ記憶する（図９のステップＳ６１０，Ｓ６２０）。マイコン６ａは、光ディスク１に記録すべきＮＲＺＩ信号をレーザドライブ回路８に出力して、ランニングＯＰＣを実行しながら、記録動作を開始する（図９のステップＳ６３０）。
【００７７】
マイコン６ａは、ランニングＯＰＣによって記録パワーに補充すべきパワーを決定する。具体的には、光ピックアップ２から入力される反射強度とマイコン６内のメモリＹに記憶されている最適記録パワーの反射強度とを比較する。マイコン６ａは、入力された反射強度とマイコン６ａ内のメモリＹに記憶されている反射強度とが等しくなるような記録パワーを補充して、つぎのＮＲＺＩ信号と補充された記録パワーとをレーザドライブ回路８に出力する。これにより、記録パワーが変更される。入力された反射強度とマイコン６ａ内のメモリＹに記憶されている反射強度とが一致した場合、マイコン６ａは、最適記録パワーを決定した時と同じ状態で記録動作が行われていると判断して、記録パワーは最適記録パワーのまま変更しない。このように、マイコン６ａは、ランニングＯＰＣ処理によって取得した反射強度から記録パワーに補充すべきパワーを決定して、補充された記録パワーをマイコン６ａ内のメモリＺに記憶する（図９のステップＳ６４０）。
【００７８】
マイコン６ａは、マイコン６ａ内のメモリＺに記憶されている記録パワーとマイコン６ａ内のメモリＸに記憶されている最適記録パワーとを比較する。マイコン６ａ内のメモリＺに記憶されている記録パワーがマイコン６ａ内のメモリＸに記憶されている最適記録パワー以下の場合（図９のステップＳ６５０，Ｎｏ）、マイコン６ａは、ランニングＯＰＣによる記録動作を継続する（図９のステップＳ６４０，Ｓ６５０）。
【００７９】
マイコン６ａ内のメモリＺに記憶されている記録パワーがマイコン６ａ内のメモリＸに記憶されている最適記録パワーよりも大きい場合（図９のステップＳ６５０，Ｙｅｓ）、マイコン６ａは、マイコン６ａ内のメモリＸに記憶されている最適記録パワーをマイコン６ａ内のメモリＺに記憶されている記録パワーから減算して、最適記録パワーと現在の記録パワーとの差を算出する。すなわち、現在の記録パワーと最適記録パワーとの変化量を算出する。そして、変化量と所定の値α３（０＜α３）とを比較する。比較の結果、変化量が所定の値α３よりも小さい場合（図９のステップＳ６６０，Ｙｅｓ）、マイコン６ａは、ランニングＯＰＣによって変更された記録パワーが許容範囲内であるとして、球面収差補正処理を行なわずに、ランニングＯＰＣによる記録動作を継続する（図９のステップＳ６４０〜Ｓ６６０）。
【００８０】
変化量が所定の値α３以上の場合（図９のステップＳ６６０，Ｎｏ）、マイコン６ａは、変化量と所定の値α４（α３＜α４）とを比較する。比較の結果、変化量が所定の値α４以上の場合（図９のステップＳ６７０，Ｎｏ）、マイコン６ａは、球面収差補正処理を行なわずに、ランニングＯＰＣによる記録動作を継続する（図９のステップＳ６４０〜Ｓ６７０）。一般的に、光ディスクの球面収差は透過基板の厚さの誤差によって発生するため、記録パワーは緩やかに変化する。そのため、マイコン６ａは、変化量を所定の値α４と比較することで、記録パワーの変化量が急激に増加したものであるか、緩やかに増加しているかを判定し、記録パワーの変化量が急激に増加した場合には、光ディスク１に付着した指紋やゴミなどの影響による一時的な変化であると判断して、球面収差補正処理を行なわずに、ランニングＯＰＣによる記録動作を継続する。
【００８１】
マイコン６ａは、変化量が所定の値α４より小さい場合（図９のステップＳ６７０，Ｙｅｓ）、ランニングＯＰＣによって変更された記録パワーが許容範囲外であり、かつ球面収差による変化であると判断して、球面収差補正処理を行なう。
【００８２】
マイコン６ａは、所定の値α１（０＜α１）を現在の球面収差補正値に加算して球面収差補正値を変更する（図９のステップＳ６８０）。なお、記録動作時であるので、所定の値α１は球面収差補正値の最小値単位であることが望ましいが、これに限るものではない。
【００８３】
マイコン６ａは、球面収差補正値を変更した後にランニングＯＰＣによって光ピックアップ２から入力される反射強度およびマイコン６ａ内のメモリＹに記憶されている最適記録パワー時の反射強度に基づいて、マイコン６ａ内のメモリＹに記憶されている最適記録パワー時の反射強度と等しくなるような記録パワーを算出する（図９のステップＳ６９０）。そして、算出した記録パワーとマイコン６ａ内のメモリＸに記憶されている最適記録パワーとを比較する。比較の結果、算出した記録パワーがマイコン６ａ内のメモリＺに記憶されている記録パワー以上の場合（図９のステップＳ７００，Ｎｏ）、所定の値α１を球面収差補正値から減算して球面収差補正値を変更する（図１０のステップＳ７１０）。なお、最初に限って、マイコン６ａ内のメモリＺに記憶されている記録パワーを算出した時の球面収差補正値から所定の値α１を減算した球面収差補正値にするために、２α１を減算する。
【００８４】
マイコン６ａは、所定の値α１を現在の球面収差補正値から減算して球面収差補正値を変更した後にランニングＯＰＣによって取得した反射強度に基づいて記録パワーを算出する（図１０のステップＳ７２０）。マイコン６ａは、算出した記録パワーとマイコン６ａ内のメモリＺに記憶されている記録パワーとを比較する。算出した記録パワーがマイコン６ａ内のメモリＺに記憶されている記録パワーより小さい場合（図１０のステップＳ７３０，Ｙｅｓ）、マイコン６ａは、算出した記録パワーをマイコン６ａ内のメモリＺに記憶し、所定の値α１を現在の球面収差補正値から減算して球面収差補正値を変更した後に取得した反射強度から記録パワーを算出し、算出した記録パワーとマイコン６ａ内のメモリＺに記憶されている記録パワーとを比較する動作を、算出した記録パワーがマイコン６ａ内のメモリＺに記憶されている記録パワー以上になるまで繰り返す（図１０のステップＳ７１０〜Ｓ７４０）。すなわち、マイコン６ａは、球面収差補正値を所定の値α１刻みで減少させて取得した反射強度から記録パワーを算出して、所定の値α１刻みでの記録パワーの最小値を検出する。
【００８５】
算出した記録パワーがマイコン６ａ内のメモリＺに記憶されている記録パワー以上になった場合（図１０のステップＳ７３０，Ｎｏ）、マイコン６ａは、算出した記録パワーをマイコン６ａ内のメモリＺに記憶する（ステップＳ７５０）。そして、所定の値α２（０＜α２≦α１，α２は整数）を現在の球面収差補正値に加算して球面収差補正値を変更する（図１０のステップＳ７６０）。すなわち、球面収差補正値をマイコン６ａ内のメモリＺに記憶されている記録パワーを算出した時の球面収差補正値＋α２に変更する。
【００８６】
マイコン６ａは、球面収差補正値を変更した後にランニングＯＰＣによって取得した反射強度に基づいて記録パワーを算出する（図１０のステップＳ７７０）。マイコン６ａは、算出した記録パワーとマイコン６ａ内のメモリＺに記憶されている記録パワーとを比較する。算出した記録パワーがマイコン６ａ内のメモリＺに記憶されている記録パワーよりも小さい場合（図１０のステップＳ７８０，Ｎｏ）、マイコン６ａは、算出した記録パワーをマイコン６ａ内のメモリＺに記憶し、所定の値α２を現在の球面収差補正値に加算して球面収差補正値を変更した後にランニングＯＰＣによって取得した反射強度に基づいて記録パワーを算出し、算出した記録パワーとマイコン６ａ内のメモリＺに記憶されている記録パワーとを比較する動作を、算出した記録パワーがマイコン６ａ内のメモリＺに記憶されている記録パワー以上になるまで繰り返す（図１０のステップＳ７５０〜Ｓ７８０）。すなわち、マイコン６ａは、球面収差補正値を所定の値α２刻みで加算して取得した反射強度から記録パワーを算出して、記録パワーの最小値を検出する。
【００８７】
算出した記録パワーがマイコン６ａ内のメモリＺに記憶されている記録パワー以上になった場合（図１０のステップＳ７８０、Ｙｅｓ）、マイコン６ａは、所定の値α２を現在の球面収差補正値から減算して球面収差補正値を変更する（図１０のステップＳ７９０）。すなわち、球面収差補正値を、マイコン６ａ内のメモリＺに記憶されている最小の記録パワーを算出した時の球面収差補正値に変更する。マイコン６ａは、検出した最小の記録パワーをマイコン６ａ内のメモリＸおよびメモリＺに、検出した最小の記録パワーの反射強度をメモリＹに記憶する（図１０のステップＳ８００）。マイコン６ａは、検出した最小の記録パワーによって記録動作を行い、ランニングＯＰＣによる球面収差補正を記録動作が終了するまで繰り返す。
【００８８】
一方、球面収差補正処理開始時に取得した反射強度から算出した記録パワーがマイコン内のメモリＺに記憶されている記録パワーより小さい場合（図９のステップＳ７００，Ｙｅｓ）、マイコン６ａは、算出した記録パワーをマイコン６ａ内のメモリＺに記憶する(図１１のステップＳ８１０）。マイコン６ａは、所定の値α１を現在の球面収差補正値に加算して球面収差補正値を変更する（図１１のステップＳ８２０）。
【００８９】
マイコン６ａは、球面収差補正値を変更した後にランニングＯＰＣによって取得した反射強度に基づいて記録パワーを算出する（図１１のステップＳ８３０）。マイコン６ａは、算出した記録パワーとマイコン６ａ内のメモリＺに記憶されている記録パワーとを比較する。算出した記録パワーがマイコン６ａ内のメモリＺに記憶されている記録パワーより小さい場合（図１１のステップＳ８４０）、マイコン６ａは、算出した記録パワーをマイコン６ａ内のメモリＺに記憶し、所定の値α１を現在の球面収差補正値に加算して球面収差補正値を変更した後にランニングＯＰＣによって取得した反射強度に基づいて算出した記録パワーとマイコン６ａ内のメモリＺに記憶されている記録パワーとを比較する動作を、算出した記録パワーがマイコン６ａ内のメモリＺに記憶した記録パワー以上になるまで繰り返す（図１１のステップＳ８１０〜Ｓ８４０）。すなわち、マイコン６ａは、球面収差補正値を所定の値α１刻みで増加させて取得した反射強度から記録パワーを算出して、所定の値α１刻みでの記録パワーの最小値を検出する。
【００９０】
算出した記録パワーがマイコン６ａ内のメモリＺに記憶されている記録パワー以上になった場合（図１１のステップＳ８４０，Ｎｏ）、マイコン６ａは、算出した記録パワーをマイコン６ａ内のメモリＺに記憶する（図１１のステップＳ８５０）。そして、所定の値α２を現在の球面収差補正値から減算して球面収差補正値を変更する（図１１のステップＳ８６０）。すなわち、球面収差補正値をマイコン６ａ内のメモリＺに記憶されている記録パワーを算出した時の球面収差補正値−α２に変更する（図１１のステップＳ８７０）。
【００９１】
マイコン６ａは、球面収差補正値を変更した後に取得した反射強度に基づいて算出した記録パワーとマイコン６ａ内のメモリＺに記憶されている記録パワーとを比較する。算出した記録パワーがマイコン６ａ内のメモリＺに記憶さている記録パワーよりも小さい場合（図１１のステップＳ８８０，Ｎｏ）、マイコン６ａは、算出した記録パワーをマイコン６ａ内のメモリＺに記憶し、所定の値α２を現在の球面収差補正値から減算して球面収差補正値を変更した後に取得した反射強度に基づいて算出した記録パワーとマイコン６ａ内のメモリＺに記憶されている記録パワーとを比較する動作を、算出した記録パワーがマイコン６ａ内のメモリＺに記憶されている記録パワー以上になるまで繰り返す（図１１のステップＳ８５０〜Ｓ８８０）。すなわち、マイコン６ａは、球面収差補正値を所定の値α２刻みで減算して取得した反射強度から記録パワーを算出して、記録パワーの最小値を検出する。
【００９２】
算出した最適記録パワーがマイコン６ａ内のメモリＺに記憶されている記録パワー以上になった場合（図１１のステップＳ８８０，Ｙｅｓ）、マイコン６ａは、所定の値α２を現在の球面収差補正値に加算して球面収差補正値を変更する（図１１のステップＳ８９０）。すなわち、球面収差補正値を、マイコン６ａ内のメモリＺに記憶されている最小の記録パワーを取得した時の球面収差補正値に変更する。マイコン６ａは、検出した最小の記録パワーをマイコン６ａ内のメモリＸおよびメモリＺに、検出した最小の記録パワーの反射強度をメモリＹに記憶する（図１１のステップＳ９００）。マイコン６ａは、検出した最小の記録パワーによって記録動作を行い、ランニングＯＰＣによる球面収差補正を記録動作が終了するまで繰り返す。
【００９３】
このようにこの実施例４では、ランニングＯＰＣを実行して記録中の記録パワーを監視し、記録中の記録パワーが最適記録パワーの許容範囲よりも大きくなった場合、球面収差補正値を変化させて、記録パワーが最小になるように球面収差補正を行なうようにしているので、記録中に発生した球面収差を補正することができる。
【００９４】
また、マイコン６ａは、通常ファームウエアによって動作する。このファームウエアにランニングＯＰＣの機能を備えていれば、ＯＰＣエリアを無駄に使用することなく、ファームウエアの変更だけで記録動作中の球面収差補正を行うことができる。
【００９５】
なお、この実施例４では、ＯＰＣ処理によって取得した最適記録パワーとランニングＯＰＣによって取得した反射強度から算出した記録パワーとを比較して記録パワーの増加を検出するようにした。しかし、記録パワーの増加を検出する方法はこれに限るものではない。たとえば、算出した記録パワーを記憶しておき、その変化量を比較して記録パワーの増加を検出するようにしてもよい。
【００９６】
また、この実施例４では、記録開始時にＯＰＣ処理によって最適記録パワーおよびそのときの反射強度を取得する例を挙げて説明した。しかし、記録開始時の最適記録パワーおよびその反射強度を取得する方法は、これに限るものではない。光ディスクには、たとえば、ＤＶＤ−Ｒの場合プリライト部、ＣＤの場合のＡＴＩＰ情報など、光ディスクのさまざまな情報が記録されているものがある。光ディスクに、記録時の最適記録パワーが情報として記録されている場合には、記録されている最適記録パワーを記録開始時の最適記録パワーとして用いるようにしてもよいし、記録開始前に図４または図５，図６のフローチャートに示した球面収差補正処理を実行して球面収差補正を行った後に、ランニングＯＰＣによる記録中の球面収差補正処理を行うようにしてもよい。
【００９７】
さらに、ＤＶＤ−Ｒのプリライトジッタ、ＤＶＤ−ＲＷのエンボスビップジッタ、ＤＶＤ−ＲまたはＤＶＤ−ＲＷのＬＰＰ信号、ＲＦ信号、プッシュプルレベル、ＤＶＤ−Ｒ、ＤＶＤ−ＲＷ，ＤＶＤ＋ＲまたはＤＶＤ＋ＲＷのウォーブル、ＤＶＤ−ＲＡＭのＣＡＰＡ信号などそれぞれの光ディスクから得られる信号に基づいて球面収差を補正した後に、ランニングＯＰＣによって、詳細な球面収差補正を行なうようにしてもよい。
【００９８】
さらにまた、記録時の最適記録パワーにおける最適な球面収差補正値と、再生時のＲＦ信号、ＬＰＰ信号などを用いた最適な球面収差補正値とが異なる場合で、かつこれらのずれが一定値である場合には、この一定値を考慮して球面収差補正値を決定するようにしてもよい。
【００９９】
また、実施例１〜実施例４の球面収差補正値を決定する際に、フォーカスポジションやデトラックを組み合わせるようにしてもよい。
【０１００】
さらに、実施例１〜３では、収差補正手段として液晶パネルを用いたが、これに限るものではなく、レンズの組み合わせによる方法など、他の手段を用いてもよい。収差補正手段として、対物レンズに対する相対位置を光軸方向に変化させてレーザビームの対物レンズへの入射光束の発散度または集束度を変化させることにより球面収差を補正するたとえば、コリメータレンズやエキスパンダレンズなどを用いてもよい。
【０１０１】
［その他の実施例］
実施例１〜３では、光ディスクは、光ディスク内の１箇所にＯＰＣエリアを有するものとして説明した。しかし、１枚の光ディスク上で透過基板の厚みが均一でない場合や、複数層の記録層を有する光ディスクの場合への対応として、１枚の光ディスクの複数箇所にＯＰＣエリアを有する場合もある。たとえば、図１２に示すように、複数（この場合は２つ）のＯＰＣエリア２０，２１を有している光ディスク１ａが考えられる。複数のＯＰＣエリアを有する光ディスク１ａでは、ＯＰＣエリア２０にてＯＰＣ処理を実行した際の最適記録パワーを用いてこのＯＰＣエリア２０に隣接する記録エリア３０に情報を記録し、ＯＰＣエリア２１にてＯＰＣ処理を実行した際の最適記録パワーを用いてこのＯＰＣエリア２１に隣接する記録エリア３１に情報を記録することで、光ディスク１ａの透過基板の厚みの変化による最適記録パワーを調整することが可能となる。また、複数層の記録層を有する光ディスクの場合、各層ごとに少なくとも１つのＯＰＣエリアを有することで、層毎に最適記録パワーを調整することが可能となる。
【０１０２】
このように複数のＯＰＣエリアを有する光ディスク１ａが光記録装置に装着された場合には、光ディスク１ａのすべてのＯＰＣエリアにて図４または図５，図６のフローチャートに示した球面収差補正処理を行い、各ＯＰＣエリアにて取得した最適記録パワーおよび球面収差補正値を用いて、各ＯＰＣエリアに対応する記録エリアに情報を記録する。
【０１０３】
具体的には、光記録装置に光ディスク１ａが装着されると、マイコン６は、ＯＰＣエリア２０にて図４または図５，図６のフローチャートに示した球面収差補正処理を実行して、ＯＰＣエリア２０における最適記録パワーの最小値および球面収差補正値を取得して、マイコン６内のメモリに記憶する。つぎに、マイコン６は、ＯＰＣエリア２１にて図４または図５，図６のフローチャートに示した球面収差補正処理を実行して、ＯＰＣエリア２１における最適記録パワーの最小値および球面収差補正値を取得して、マイコン６内のメモリに記憶する。
【０１０４】
マイコン６は、記録エリア３０に情報を記録する場合にはマイコン６内のメモリに記憶されているＯＰＣエリア２０にて取得した最適記録パワーの最小値および球面収差補正値を用い、記録エリア３１に情報を記録する場合にはマイコン６内のメモリに記憶されているＯＰＣエリア２１にて取得した最適記録パワーの最小値および球面収差補正値を用いる。
【０１０５】
このように光ディスクのＯＰＣエリア毎に球面収差補正を行って球面収差補正値を決定し、それぞれのＯＰＣエリアに対応する記録エリアに情報を記録する際に、それぞれのＯＰＣエリアで決定した球面収差補正値によって球面収差補正を行うようにしているため、光ディスクの記録エリアに対応した球面収差補正を行うことができる。
【０１０６】
また、複数のＯＰＣエリアを有する光ディスク１ａが光記録装置に装着された場合、光ディスク１ａのすべてのＯＰＣエリアにてＯＰＣ処理を実行して、それぞれのＯＰＣエリアでの最適記録パワーを取得し、取得した各最適記録パワーの最小値を検出する。そして、最小値の最適記録パワーを検出したＯＰＣエリアを用いて図４または図５，図６のフローチャートに示した球面収差補正処理を行うようにしてもよい。
【０１０７】
具体的には、光記録装置に光ディスク１ａが装着されると、マイコン６は、ＯＰＣエリア２０，２１にてそれぞれＯＰＣ処理を実行して、ＯＰＣエリア２０，２１の最適記録パワーをそれぞれ取得する。マイコン６は、取得した最適記録パワーを比較して、最小の最適記録パワーを取得する。マイコン６は、最小の最適記録パワーを取得したＯＰＣエリアを用いて図４のフローチャートに示した球面収差補正処理を行う。
【０１０８】
あるいは、マイコン６は、最小の最適記録パワーをマイコン６内のメモリＸに記憶する。これにより、図５のステップＳ３００，Ｓ３１０の処理を終了する。その後、マイコン６は、最小の記録パワーを取得したＯＰＣエリアにて図５，図６のフローチャートのステップＳ３２０〜Ｓ５２０に示したように球面収差補正値を変更することで最適記録パワーの最小値をパラメータとして球面収差補正処理を行う。
【０１０９】
このように複数のＯＰＣエリアを有する光ディスクの場合、各ＯＰＣエリアにてＯＰＣ処理を実行して、最小の最適記録パワーを検出し、検出した最小の最適記録パワーとＯＰＣエリアを用いて球面収差補正値を求めるようにすれば、ＯＰＣエリアを無駄に使うことなく球面収差補正を行うことができる。
【０１１０】
また、複数のＯＰＣエリアを有する光ディスク１ａが光記録装置に装着された場合、光ディスク１ａのすべてのＯＰＣエリアにてＯＰＣ処理を実行して、それぞれのＯＰＣエリアでの最適記録パワーおよび反射強度を取得して記憶し、ＯＰＣエリアに対応する記録エリアに情報を記録する際の初期値として、図８のフローチャートに示したステップＳ６３０〜Ｓ９００のランニングＯＰＣによる球面収差補正処理を行うようにしてもよい。
【０１１１】
具体的には、光記録装置に光ディスク１ａが装着されると、マイコン６ａは、ＯＰＣエリア２０にてＯＰＣ処理を実行して、ＯＰＣエリア２０における最適記録パワーおよび反射強度を取得して、マイコン６ａ内のメモリに記憶する。つぎに、マイコン６ａは、ＯＰＣエリア２１にてＯＰＣ処理を実行して、ＯＰＣエリア２１における最適記録パワーおよび反射強度を取得して、マイコン６ａ内のメモリに記憶する。
【０１１２】
ＯＰＣエリア２０に対応する記録エリア３０に情報を記録する場合、マイコン６ａは、マイコン６ａ内のメモリに記憶されているＯＰＣエリア２０における最適記録パワーをマイコン６ａ内のメモリＸに、マイコン６ａ内のメモリに記憶されているＯＰＣエリア２０における反射強度をマイコン内のメモリＹに記憶する。これにより、記録エリア３０の最適記録パワーと反射強度が初期値として設定される。マイコン６ａは、図８のフローチャートに示したステップＳ６３０〜Ｓ９００のランニングＯＰＣによる球面収差補正処理を行う。
【０１１３】
ＯＰＣエリア２１に対応する記録エリア３１に情報を記録する場合には、マイコン６ａは、マイコン６ａ内のメモリに記憶されているＯＰＣエリア２１における最適記録パワーをマイコン６ａ内のメモリＸに、マイコン６ａ内のメモリに記憶されているＯＰＣエリア２１における反射強度をマイコン内のメモリＹに記憶する。そして、マイコン６ａは、図８のフローチャートに示したステップＳ６３０〜Ｓ９００のランニングＯＰＣによる球面収差補正処理を行う。
【０１１４】
このように記録エリアに情報を記録する際に、情報を記録する記録エリアに対応したＯＰＣエリアの最適記録パワーおよび最適記録パワー照射時の反射強度を初期値としてランニングＯＰＣを実行して記録中のパワーを監視して、記録中の記録パワーが最適記録パワーの教養範囲よりも大きくなった場合、球面収差補正値を変化させて、記録パワーが最小になるように球面収差補正を行なうようにしている。これにより、光ディスクの記録エリアに対応して、かつ記録中に発生した球面収差を補正することができる。
【図面の簡単な説明】
【０１１５】
【図１】理想的な球面収差補正量と最適記録パワーの関係を示す理想的グラフである。
【図２】実際の球面収差補正量と最適記録パワーの関係の一例を示すグラフである。
【図３】この発明における実施例１の光記録装置の構成を示すブロック図である。
【図４】この発明における実施例１の光記録装置の球面収差補正動作を説明するためのフローチャートである。
【図５】この発明における実施例２の光記録装置の球面収差補正動作を説明するためのフローチャートである。
【図６】この発明における実施例２の光記録装置の球面収差補正動作を説明するためのフローチャートである。
【図７】この発明における実施例４の光記録装置の構成を示すブロック図である。
【図８】反射強度を検出するタイミングを説明するための図である。
【図９】この発明における実施例４の光記録装置の球面収差補正動作を説明するためのフローチャートである。
【図１０】この発明における実施例４の光記録装置の球面収差補正動作を説明するためのフローチャートである。
【図１１】この発明における実施例４の光記録装置の球面収差補正動作を説明するためのフローチャートである。
【図１２】複数のＯＰＣエリアを有する光ディスクの一例を示す概略図である。
【符号の説明】
【０１１６】
１，１ａ  光ディスク
２  光ピックアップ
３  ＲＦアンプ
４  イコライザ
５  アシンメトリ検出回路
６，６ａ  マイコン
７  ＯＰＣ回路
８  レーザドライブ回路
９  トラッキングサーボ回路
１０  アクチュエータドライブ回路
１１  ＬＰＰ検出回路
１２  ゲート生成回路
１３  ＬＰＰ振幅検出回路
１４  ２値化回路
１５  ＮＲＺＩ変換回路
１６  同期検出回路
１７  液晶ドライブ回路
４０  対物レンズ
４１  液晶パネル
【図１】
2005135540.tif 000003
【図２】
2005135540.tif 000004
【図３】
2005135540.tif 000005
【図４】
2005135540.tif 000006
【図５】
2005135540.tif 000007
【図６】
2005135540.tif 000008
【図７】
2005135540.tif 000009
【図８】
2005135540.tif 000010
【図９】
2005135540.tif 000011
【図１０】
2005135540.tif 000012
【図１１】
2005135540.tif 000013
【図１２】
2005135540.tif 000014